(57)【要約】【課題】ブレードが固定端子へ接合し始め、各導電体がハの字状に開く際に、ピンのセンターずれを防止し、ブレードに十分な接圧を保持できる断路器を提供する。【解決手段】  間隔を介して対向配置された一対の導電体の一端がブレード固定部２に回転可能に支持され、他端が固定端子４と接合し得るようにされると共に、各導電体にそれぞれ形成された貫通孔５と、各導電体の対向面側で上記貫通孔に連通して形成されたすり鉢状の傾斜面５ａとを有するブレード１５と、各導電体の間隔を保持する筒状体及び上記筒状体の外端面に形成された湾曲面６０ａを有し上記湾曲面を傾斜面に当接させて一対の導電体間に配設されるスペーサ６０と、貫通孔を経てスペーサの筒状体に遊嵌され外径が貫通孔の内径より小さく上記貫通孔との間にギャップを形成するピン７と、上記ピンに装着され、各導電体の傾斜面をスペーサの湾曲面に押圧するばね９とを備えた構成とする。【選択図】図１
2010225374.tif 000002
【特許請求の範囲】
【請求項１】
間隔を介して対向配置された一対の導電体の一端がブレード固定部に回転可能に支持され、他端が固定端子と接合し得るようにされると共に、上記固定端子との接合部より一端側で上記各導電体にそれぞれ形成された貫通孔と、上記各導電体の対向面側で上記貫通孔に連通して形成されたすり鉢状の傾斜面とを有するブレードと、上記各導電体の間隔を保持する筒状体及び上記筒状体の外端面に形成された湾曲面を有し上記湾曲面を上記傾斜面に当接させて上記一対の導電体間に配設されるスペーサと、上記貫通孔を経て上記スペーサの筒状体に遊嵌され外径が上記貫通孔の内径より小さく上記貫通孔との間にギャップを形成するピンと、上記ピンに装着され、上記各導電体の傾斜面を上記スペーサの湾曲面に押圧するばねとを備えた断路器。
【請求項２】
上記筒状体は、上記ピンに嵌合したことを特徴とする請求項１記載の断路器。
【発明の詳細な説明】
【技術分野】
【０００１】
この発明は断路器、特にブレードを有する断路器に関するものである。
【背景技術】
【０００２】
従来のブレード形断路器は図５−図８に示すように構成されていた。（例えば特許文献１参照）。図５は従来のブレード形断路器の構成を示す正面図、図６はその側面図、図７は図６のＢ−Ｂ線における断面図、図８は図７に示す断路器のブレードが固定端子と接合し始めた状態を示す断面図である。
【０００３】
これらの図に示すように、従来の断路器は、間隔を介して対向配置された一対の導電体からなるブレード１の一端（図５、図６において下端）がブレード固定部２を両導電体の間に挟み込むようにブレード固定部２の外側面と係合し、軸３によって回転可能に支持されると共に、他端（図５、図６において上端）が固定端子４を両導電体の間に挟み込む形で固定端子４に接合し得るようにされている。
【０００４】
また、ブレード１の固定端子４との接合部より一端側において各導電体に貫通孔５を設け、これらの貫通孔に対応する部分の各導電体間に筒状のスペーサ６を配設すると共に、貫通孔５より僅かに小径のピン７をスペーサ６を貫通させる形で各導電体の貫通孔５に嵌合し、ピン７の一端を止め輪８で固定すると共に、ピン７の他端と一方の導電体の外面との間に圧縮ばね９を装着し、固定端子４との接合時における接圧を確保する構成とされている。また、１０はブレード１を回動させるための絶縁操作ロッド、１１は絶縁操作ロッドとブレード１との結合部である。
【先行技術文献】
【特許文献】
【０００５】
【特許文献１】特開平３−２５７７２２号公報
【発明の概要】
【発明が解決しようとする課題】
【０００６】
従来の断路器のブレードは以上のように構成されており、ブレード１に形成された貫通孔５とピン７との間には僅かの隙間しかないため、ブレード１の各導電体が圧縮ばね９に抗して間隔を広げようとする場合には、各導電体はピン７に沿って平行移動することになる。一方、ブレード１の他端が固定端子４と接合する場合には、ブレード１の各導電体が図８に示すように固定端子４の先端部の傾斜形状に合わせてハの字状に開き、接触角度を保持しようとするが、ブレード１の各導電体は上述のように、ピン７に対して平行にしか移動しない構成となっているため、固定端子４の先端部の傾斜形状に合わせてハの字状に傾斜することができず、ブレードの各導電体が広がろうとする際にがたつき、スムースに広がらないという問題点があった。
【０００７】
この問題点を解決するためには、ブレード１の各導電体に形成されている貫通孔５の径を大きくすればよいが、貫通孔５の径を大きくすると、ブレード１が固定端子４に接合する際、ブレード１の各導電体が大きくハの字状に開き、貫通孔５と間隔保持用のスペーサ６のセンターとを結ぶ軸心に対してピン７がセンターずれを起こし、接圧用の圧縮ばね９が変形してばね荷重が分散し接圧が低下するという問題が生ずる。
【０００８】
この発明は上記のような問題点を解消するためになされたもので、ブレード１が固定端子４へ接合し始めた時、ブレードの各導電体が固定端子の先端部の傾斜形状に合わせてハの字状に開く際に、ピン７のセンターずれが発生するのを防止することができ、ブレードに対して十分な接圧を保持することができる断路器を提供することを目的とする。
【課題を解決するための手段】
【０００９】
この発明に係る断路器は、間隔を介して対向配置された一対の導電体の一端がブレード固定部に回転可能に支持され、他端が固定端子と接合し得るようにされると共に、上記固定端子との接合部より一端側で上記各導電体にそれぞれ形成された貫通孔と、上記各導電体の対向面側で上記貫通孔に連通して形成されたすり鉢状の傾斜面とを有するブレードと、上記各導電体の間隔を保持する筒状体及び上記筒状体の外端面に形成された湾曲面を有し上記湾曲面を上記傾斜面に当接させて上記一対の導電体間に配設されるスペーサと、上記貫通孔を経て上記スペーサの筒状体に遊嵌され外径が上記貫通孔の内径より小さく上記貫通孔との間にギャップを形成するピンと、上記ピンに装着され、上記各導電体の傾斜面を上記スペーサの湾曲面に押圧するばねとを備えたものである。
【発明の効果】
【００１０】
この発明に係る断路器は、ブレードの各導電体の対向面側で貫通孔に連通してすり鉢状の傾斜面を形成すると共に、ピンを遊嵌したスペーサの外端面に湾曲面を形成し、上記湾曲面を上記傾斜面に当接するようにしているため、ブレードの固定端子への接合時にピンのセンターずれが生ずることなくブレードの各導電体をハの字状に開くことができ、所定の接圧を保持することが可能となる。また、従来装置に比して部品点数を増加することなく上述の機能を達成することができるものである。
【図面の簡単な説明】
【００１１】
【図１】この発明の実施の形態１による断路器の構成を示すもので、図６のＢ−Ｂ線における断面構成を示している。
【図２】図１にＡで示す円で囲んだ部分の拡大図である。
【図３】実施の形態１におけるブレードが固定端子に接合し始めた状態を示すもので、図６のＢ−Ｂ線における断面構成を示している。
【図４】実施の形態１におけるブレードが固定端子に接合し終った状態を示すもので、図６のＢ−Ｂ線における断面構成を示している。
【図５】ブレードを有する断路器の基本的な構成を示す正面図である。
【図６】図５に示す断路器の側面図である。
【図７】従来の断路器の構成を示すもので、図６のＢ−Ｂ線における断面を示している。
【図８】従来の断路器におけるブレードが固定端子に接合し始めた状態を示すもので、図６のＢ−Ｂ線における断面を示している。
【発明を実施するための形態】
【００１２】
実施の形態１．
以下、この発明の実施の形態１を図にもとづいて説明する。断路器の構成は図５に示す構成と同様であるため、図５を援用して図示を省略する。
図１は実施の形態１による断路器の構成を示すもので、図６のＢ−Ｂ線における断面構成を示している。図２は図１にＡで示す円で囲んだ部分の拡大図、図３はブレードが固定端子に接合し始めた状態を示す断面図、図４はブレードが固定端子に接合し終った状態を示す断面図である。これらの図において図５−図８と同一または相当部分には同一符号を付して説明を省略する。
【００１３】
実施の形態１による断路器は図１、図２に示すように、ピン７の外径をブレード１５の各導電体に形成された貫通孔５の内径より小さくし、両者間に十分なギャップが形成されるようにすると共に、各導電体の対向面側で上記貫通孔５に連通してすり鉢状の傾斜面５ａを形成している。また、スペーサ６０を構成する筒状体の貫通孔の内径は上記ピン７を筒状体に遊嵌した時、ピン７と筒状体とがほぼ嵌め合い構造となるように、上記ピン７の外径とほぼ同じ内径に形成されている。
【００１４】
更にスペーサ６０は、その筒状体の両端外面にそれぞれ湾曲面６０ａが形成され、この湾曲面が図１、図２に示されるように、ブレードの各導電体に形成されたすり鉢状の傾斜面５ａに当接するようにされている。その他の構成については上述した従来の構成と同様であるため説明を省略する。
【００１５】
次に、実施の形態１の動作について説明する。
図５の絶縁操作ロッド１０を図５において右方に移動させてブレード１５を固定端子５に接合し始めると、図３に矢印で示すように、ブレード１５の各導電体がハの字状に開いて固定端子４の先端部に接合する。
【００１６】
この時、ブレード１５の各導電体とピン７とは図３に示すように、相対関係が変化するが、ピン７とスペーサ６０とは嵌合状態で嵌め合い構造となっており、かつスペーサの外端面に形成されている湾曲面６０ａと各導電体のすり鉢状の傾斜面５ａとが当接しているため、ピン７はブレード１５に対してセンターずれを起こすことなく、従って圧縮ばね９は変形せずに保持される。
【００１７】
図４は図３の状態から更にブレード１５を固定端子４側に移動させ、両者が接合し終った状態を示す。この状態ではブレード１５の各導電体は当初の平行状態に保持され、それぞれが固定端子４の両側面に完全に接合され、圧縮ばね９はブレード１５と固定端子４に対し垂直な状態となる。
【産業上の利用可能性】
【００１８】
この発明はブレードを有する受電、配電用の開閉装置に広く適用することが可能である。
【符号の説明】
【００１９】
１、１５  ブレード、  ２  ブレード固定部、  ３  軸、  ４  固定端子、  ５  貫通孔、  ５ａ  傾斜面、  ６、６０  スペーサ、  ７  ピン、  ８  止め輪、  ９  圧縮ばね、  １０  絶縁操作ロッド、  １１  結合部、  ６０ａ  湾曲面。
【図５】
2010225374.tif 000003
【図６】
2010225374.tif 000004
【図７】
2010225374.tif 000005
【図８】
2010225374.tif 000006
【図１】
2010225374.tif 000007
【図２】
2010225374.tif 000008
【図３】
2010225374.tif 000009
【図４】
2010225374.tif 000010